(57)【特許請求の範囲】
【請求項１】
コンピュータが、相互に代替使用される装置群の累積故障率を算出する方法において、
故障率の算出対象となる装置ごとに、故障が発生した拠点の拠点識別子を含む故障履歴、中断が発生した拠点の拠点識別子を含む中断履歴および稼働している拠点の拠点識別子を含む現在の稼働状況を取得する手順と、
故障履歴のある装置について、故障履歴ごとに、故障フラグおよび拠点識別子ならびに稼働終了日として故障日時が登録された装置情報を生成する手順と、
中断履歴のある装置について、中断履歴ごとに、中断フラグおよび拠点識別子ならびに稼働終了日として中断日時が登録された装置情報を生成する手順と、
現在稼働中の装置について、稼働中フラグおよび拠点識別子ならびに稼働終了日として現在日時が登録された装置情報を生成する手順と、
拠点毎に各装置情報をその稼働終了日の昇順で並べ代え、n番目の装置情報の稼働開始日にn-1番目の装置情報の稼働終了日を登録する手順とを含み、
各装置情報の稼働開始日から稼働終了日までの期間に基づいて装置の累積故障率を算出することを特徴とする累積故障率算出方法。
【請求項２】
拠点ごとに、その開設日の情報を取得する手順を更に具備し、
前記稼働開始日を登録する手順は、拠点毎に１番目の装置情報の稼働開始日に前記拠点の開設日を登録することを特徴とする請求項１に記載の累積故障率算出方法。
【請求項３】
故障フラグの登録された装置情報毎に、稼働開始日から稼働終了日までを故障期間として算出する手順と、
中断フラグの登録された装置情報毎に、稼働開始日から稼働終了日までを正常期間として算出する手順と、
稼働中フラグの登録された装置情報毎に、稼働開始日から稼働終了日までを正常期間として算出する手順とを含み、
前記正常期間および故障期間に基づいて装置の累積故障率を算出することを特徴とする請求項１または２に記載の累積故障率算出方法。
【請求項４】
前記装置が、携帯電話網の無線基地局で使用されることを特徴とする請求項１ないし３のいずれかに記載の累積故障率算出方法。
【請求項５】
相互に代替使用される装置群の累積故障率をコンピュータに算出させる累積故障率算出プログラムにおいて、
故障率の算出対象となる装置ごとに、故障が発生した拠点の拠点識別子を含む故障履歴、中断が発生した拠点の拠点識別子を含む中断履歴および稼働している拠点の拠点識別子を含む現在の稼働状況を取得する手順と、
故障履歴のある装置について、故障履歴ごとに、故障フラグおよび拠点識別子ならびに稼働終了日として故障日時が登録された装置情報を生成する手順と、
中断履歴のある装置について、中断履歴ごとに、中断フラグおよび拠点識別子ならびに稼働終了日として中断日時が登録された装置情報を生成する手順と、
現在稼働中の装置について、稼働中フラグおよび拠点識別子ならびに稼働終了日として現在日時が登録された装置情報を生成する手順と、
拠点毎に各装置情報をその稼働終了日の昇順で並べ代え、n番目の装置情報の稼働開始日にn-1番目の装置情報の稼働終了日を登録する手順とをコンピュータに実行させ、
各装置情報の稼働開始日から稼働終了日までの期間に基づいて装置の累積故障率を算出することを特徴とする累積故障率算出プログラム。
【請求項６】
拠点ごとに、その開設日の情報をコンピュータに取得させる手順を更に具備し、
前記稼働開始日を登録する手順は、拠点毎に１番目の装置情報の稼働開始日に前記拠点の開設日を登録することを特徴とする請求項５に記載の累積故障率算出プログラム。
【請求項７】
故障フラグの登録された装置情報毎に、稼働開始日から稼働終了日までを故障期間として算出する手順と、
中断フラグの登録された装置情報毎に、稼働開始日から稼働終了日までを正常期間として算出する手順と、
稼働中フラグの登録された装置情報毎に、稼働開始日から稼働終了日までを正常期間として算出する手順とを含み、
前記正常期間および故障期間に基づいて装置の累積故障率を算出することを特徴とする請求項５または６に記載の累積故障率算出プログラム。
【請求項８】
前記装置が、携帯電話網の無線基地局で使用されることを特徴とする請求項５ないし７のいずれかに記載の累積故障率算出プログラム。
【発明の詳細な説明】
【技術分野】
【０００１】
本発明は、電子機器等の装置の累積故障率を算出する方法および装置に係り、特に、連続稼働されるシステムに新規又は故障、中断の代替として使用される装置の累積故障率を算出する方法およびプログラムに関する。
【背景技術】
【０００２】
携帯電話網の無線基地局において使用されるBBU（Base Band Unit）のように、連続稼働が条件となる電子装置は、故障や点検等により取り外された際は、その代替装置が取り付けられることで連続稼働が維持される。
【０００３】
このような電子装置について信頼性を定量的に把握する指標として累積故障率が広く用いられており、累積故障率を算出するためには、各装置の稼働・故障履歴を管理し、装置ごとに稼働開始から故障が発生するまで、あるいは正常稼働している現在まで、の稼働期間を導出する必要がある。
【０００４】
特許文献１には、IPネットワークに特有のネットワーク機器のソフトウェア的故障要因やハードウェア的故障要因以外の要因の有無を累積故障率により評価する技術が開示されている。
【０００５】
特許文献２には、故障原因を診断するために故障発生情報を収集し、故障発生ゲインの傾向を分析するシステムが開示されている。
【先行技術文献】
【特許文献】
【０００６】
【特許文献１】特開2007-068090号公報
【特許文献２】特開平5-165853号公報
【発明の概要】
【発明が解決しようとする課題】
【０００７】
上記の従来技術は、評価対象となる電子装置の稼働開始・中断・再開・終了の日時や故障日時等を全て把握していることが前提となっている。しかしながら、特に連続稼働されるシステムでは連続稼働の維持が最優先され、各装置のデータを正確に一元管理することが行われない場合もある。
【０００８】
また、資産管理の観点からも、管理者は各装置が今どこに設置されているかという拠点情報を管理していれば十分であり、拠点情報を過去に遡って保持する必要はない。さらに、装置の設置拠点に変動が無く、拠点の開設日が拠点情報に含まれていれば、当該拠点に設置されている装置の稼働履歴は導出可能である。すなわち，開設日から現時点まで稼働中とみなすことができる。
【０００９】
一方、装置が故障した場合には交換が発生する。すなわち、拠点情報は交換後の装置に関する情報のみを含み、故障装置の情報は失われる。したがって、「故障装置の稼働履歴がわからない」、「交換後の装置の稼働履歴がわからない」といった不都合が生じ得る。
【００１０】
本発明の目的は、上記の技術課題を解決し、ネットワーク設備のように複数の拠点で連続稼働されるシステムにおいて交換対応で使用される電子装置のように、故障履歴や拠点管理が容易ではない装置について、その累積故障率を正確に把握できる累積故障率算出方法およびプログラムを提供することにある。
【課題を解決するための手段】
【００１１】
上記の目的を達成するために、本発明の累積故障率算出方法は、以下の構成を具備した点に特徴がある。
【００１２】
(1) 故障率の算出対象となる装置ごとに故障履歴、中断履歴および現在の稼働状況ならびにそれらの拠点識別子を取得する手順と、故障履歴のある装置について、故障履歴ごとに、故障フラグおよび拠点識別子ならびに稼働終了日として故障日時が登録された装置情報を生成する手順と、中断履歴のある装置について、中断履歴ごとに、中断フラグおよび拠点識別子ならびに稼働終了日として中断日時が登録された装置情報を生成する手順と、現在稼働中の装置について、稼働中フラグおよび拠点識別子ならびに稼働終了日として現在日時が登録された装置情報を生成する手順と、拠点毎に各装置情報をその稼働終了日の昇順で並べ代え、n番目の装置情報の稼働開始日にn-1番目の装置情報の稼働終了日を登録する手順とを含み、各装置情報の稼働開始日から稼働終了日までの期間に基づいて装置の累積故障率を算出するようにした。
【００１３】
(2) 拠点ごとに、その開設日の情報を取得する手順を更に具備し、稼働開始日を登録する手順は、拠点毎に１番目の装置情報の稼働開始日に前記拠点の開設日を登録するようにした。
【００１４】
(3) 故障フラグの登録された装置情報毎に、稼働開始日から稼働終了日までを故障期間として算出する手順と、中断フラグの登録された装置情報毎に、稼働開始日から稼働終了日までを正常期間として算出する手順と、稼働中フラグの登録された装置情報毎に、稼働開始日から稼働終了日までを正常期間として算出する手順とを含み、正常期間および故障期間に基づいて装置の累積故障率を算出するようにした。
【発明の効果】
【００１５】
本発明によれば、以下のような効果が達成される。
【００１６】
(1) 装置の現在稼働中の情報と、故障や中断などが原因で装置を交換した履歴を管理しておくことで、故障装置や交換した装置の履歴が分かるようになり、装置機種毎の故障の導出が可能となり、機種の信頼性を把握することが可能となる。また、これにより障害を事前に回避することが可能となり、ユーザへの信頼性が向上する。
【００１７】
(2) 稼働期間を推定することで製造欠陥や摩耗故障などを判断することができるようになる。また、故障率が高い摩耗故障対象装置を事前に交換し、故障を防止することができるとともに、効率的な装置交換が可能となって障害対応に要する運用コスト削減が期待できる。
【００１８】
(3) データ管理のシステム化を実施する場合、推定データを用いることで不明となっていたデータを補うことができるようになり，システム統合化が容易となる．
【図面の簡単な説明】
【００１９】
【図１】本発明の一実施形態に係る故障率算出装置の機能ブロック図である。
【図２】装置稼働情報、故障履歴および中断履歴の一例を示した図である。
【図３】装置毎仮時系列表E1の一例を示した図である。
【図４】装置毎仮時系列表E1の生成手順を示したフローチャートである。
【図５】拠点毎仮時系列表E2の一例を示した図である。
【図６】拠点毎仮時系列表E2の生成手順を示したフローチャートである。
【図７】装置毎時系列表E3の一例を示した図である。
【図８】装置毎時系列表E3生成手順を示したフローチャートである。
【図９】「正常稼働期間」、「故障日数」の算出手順を示したフローチャートである。
【図１０】「正常期間」、「故障期間」の算出方法を示した図である。
【図１１】累積故障率の例を示した図である。
【発明を実施するための形態】
【００２０】
以下、図面を参照して本発明の実施の形態について詳細に説明する。図１は、本発明の一実施形態に係る累積故障率算出装置の主要部の構成を示した機能ブロック図であり、情報取得部１０は、累積故障率の算出対象となる装置ごとに、故障履歴、中断履歴および現在の稼働状況ならびにそれらの拠点識別子等を取得する。本実施形態では、累積故障率の算出対象装置として、携帯電話網の無線基地局において使用されるBBUを想定している。装置稼働履歴推定部２０は、取得した情報に基づいて各装置の稼働履歴を推定する。累積故障率算出部３０は、各装置の稼働推定履歴に基づいて累積故障率を算出する。
【００２１】
このような累積故障率算出装置は、汎用のコンピュータやサーバに、後述する各機能を実現するアプリケーション（プログラム）を実装することで構成できる。あるいは、アプリケーションの一部がハードウェア化またはROM化された専用機や単能機とし構成しても良い。
【００２２】
前記情報取得部１０において、装置稼働情報取得部１０１は、現在稼働中の装置について、図２(a)に示したように、(1) 稼働拠点に固有の識別子（稼働拠点ID）、(2) 当該拠点の開設日および(3) 当該装置に固有の識別子（装置ID）を取得する。前記装置IDとしては各装置に固有のシリアルナンバー（SN）を利用できる。
【００２３】
故障履歴取得部１０２は、図２(b)に示したように、(1) 故障した装置の装置ID、(2) 故障の発生日（故障日）および(3) 故障した装置の拠点IDを取得する。ここでも、装置IDとして各装置のシリアルナンバー（SN）を利用できる。
【００２４】
中断履歴取得部１０３は、図２(c)に示したように、(1) 稼働を中断された装置の装置ID、(2) 稼働を中断させた日（中断日）および(3) 稼働を中断された装置の拠点IDを取得する。ここでも、装置IDとして各装置のシリアルナンバー（SN）を利用できる。
【００２５】
前記装置稼働履歴推定部２０は、取得した各装置の情報を統合し、各装置の故障履歴、中断履歴および稼働中の記録毎に装置情報Uを生成する装置情報生成部２０１を含む。したがって、故障履歴や中断履歴のある装置については、これらの履歴数分の装置情報が生成され、さらに現在稼働中の装置については、その装置情報も生成される。
【００２６】
前記装置情報Uは、「装置ID(SN)」，「稼働開始日」，「稼働終了日」，「稼働日数」，「履歴フラグ（F：故障，D：中断，B：稼働中）」，「稼働拠点ID」，「拠点開設日」の集合である。
【００２７】
前記装置稼働履歴推定部２０は更に、後に詳述する装置毎仮時系列表E1、拠点毎仮時系列表E2および最終時系列表E3を仮想的に生成する生成部２０２，２０３，２０４と、最終時系列表E3およびその装置情報に基づいて各装置の稼働日数を算出する稼働日数算出部２０５とを含む。
【００２８】
図３は、装置毎仮時系列表E1の一例を示した図であり、図４は、その生成手順を示したフローチャートである。
【００２９】
ステップS１では、前記装置稼働情報１０１に基づき、現在稼働中の装置に関して、その装置ID、拠点ID、拠点開設日が、それぞれ装置情報Uの「装置ID」、「稼働拠点ID」、「拠点開設日」に登録される。さらに装置情報Uの「稼働終了日」に現在日時が登録され、「履歴フラグ」に"B（稼働中）"が登録され、「稼働開始日」に"−（不明）"が登録され、「稼働日数」に"０"が登録される。
【００３０】
ステップS２では、前記「履歴フラグ」が"B（稼働中）"の各装置情報Uが、その「稼働終了日」を横軸の値、「装置ID」を縦軸の値とする各位置に、符号Bを含むシンボルマーク(□)で表記されている。
【００３１】
図示の例では、装置IDがSNaの装置（以下、装置SNaと表現する）の現在（１０月）の各位置に、"B（稼働中）"を含むシンボルが表記されている。同様に、装置SNb，SNdの現在の各位置にも"B（稼働中）"を含むシンボルが表記されている。
【００３２】
ステップS３では、前記故障履歴情報１０２に基づいて、「履歴フラグ」が"F（故障）"の装置情報Uが生成される。本実施形態では、故障履歴１０２に記録されている故障日、故障装置ID、拠点IDが、それぞれ装置情報Uの「稼働終了日」、「装置SN」、「稼働拠点ID」に登録される。さらに、「稼働開始日」に"−（不明）"が登録され、「履歴フラグ」に"F（故障）"が登録される。
【００３３】
ステップS４では、前記「履歴フラグ」が"F（故障）"の各装置情報Uが、その故障日を横の値、装置IDを縦軸の値とする各位置に、符号Fを含むシンボルマーク(□)で表記されている。
【００３４】
図示の例では、装置SNaは２月、４月、８月に故障が記録されているので、「２月」、「４月」、「８月」の各位置に"F（故障）"を含むシンボルが表記されている。同様に、装置SNcは７月に故障が記録されているので、「７月」の位置に"F（故障）"を含むシンボルが表記されている。
【００３５】
ステップS５では、前記中断履歴情報１０３に基づいて、「履歴フラグ」が"D（中断）"の装置情報Uが生成される。本実施形態では、中断履歴１０３に記録されている中断日、中断装置、拠点IDが、それぞれ装置情報Uの「稼働終了日」、「装置SN」、「稼働拠点ID」に登録される。さらに、「稼働開始日」に"−（不明）"が登録され、「履歴フラグ」に"D（中断）"が登録される。
【００３６】
ステップS６では、前記「履歴フラグ」が"D（中断）"の各装置情報Uが、その中断日を横軸の値、装置IDを縦軸の値として特定される各位置に、符号Dを含むシンボルマーク(□)で表記されている。
【００３７】
図示の例では、装置SNcは３月に中断が記録されているので、「３月」の位置に"D（中断）"を含むシンボルが表記されている。同様に、装置SNe，SNfもそれぞれ６月，７月に中断が記録されているので、「６月」，「７月」の各位置に"D（中断）"を含むシンボルが表記されている。
【００３８】
なお、故障フラグFを含むシンボルに併記された情報「Lx (→SN？)」は、「拠点Lxにおいて故障が発生し、他の装置と置換されたが、置換された装置を識別できない」ことを表現している。
【００３９】
同様に、中断フラグDを含むシンボルに併記された情報「Lx (→SN？)」は、「拠点Lxにおいて中断が発生し、他の装置と置換されたが、置換された装置を識別できない」ことを表現している。
【００４０】
また、稼働フラグBを含むシンボルに併記された情報「Lx」は、「「拠点Lxにおいて現在も稼働中」であることを表現している。
【００４１】
拠点毎仮時系列表生成部２０３は、前記装置毎仮時系列表E1およびその装置情報Uに基づいて拠点毎仮時系列表E2を生成する。
【００４２】
図５は、拠点毎仮時系列表E2の一例を示した図であり、横軸を日時、縦軸を拠点とし、拠点ごとに、その開設日の対応位置にシンボルマーク（〇）および開設日が表記されている。さらに故障日、中断日および稼働日の対応位置にシンボルマーク（□）が表記され、その内部に「故障（F）」、「中断（D）」、「稼働（B）」の各フラグが記述される。
【００４３】
図示の例では、拠点L1は１月１日に稼働を開始し、「２月」に対象装置SNaが故障(F)し、「４月」に対象装置SNbが故障(F)し、「７月」に対象装置SNcが故障(F)し、「１０月（現在）」は対象装置SNdが稼働中(B)であることが示されている。なお、拠点L4については開設日が不明なので、開設日のシンボルマークは記述されていない。
【００４４】
図６は、前記拠点毎仮時系列表生成部２０３が拠点毎仮時系列表E2を生成する手順を示したフローチャートであり、ステップS１１では、前記表E1に登録されている各装置情報Uが、その「稼働終了日」を横軸の値、「拠点ID」を縦軸の値として特定される各位置に配置される。
【００４５】
図示の例では、履歴フラグが"B（稼働中）"の各装置情報Uは、フラグBを含むシンボルマーク(□)で表記されている。同様に、履歴フラグが「F（故障）」の各装置情報UはフラグFを含むシンボルマーク(□)で表記され、履歴フラグが「D（中断）」の各装置情報UはフラグDを含むシンボルマーク(□)で表記されている。
【００４６】
ステップS１２では、前記表E1に登録されている拠点IDの一つを選択して今回の注目拠点とする。ここでは、拠点L1が注目拠点であるものとして説明を続ける。ステップS１３では、「拠点ID」が注目拠点L1と一致する全ての装置情報Uが「稼働終了日」の昇順でソートされる。
【００４７】
ステップS１４では、「稼働終了日」が最先の装置情報Uの「稼働開始日」に、当該注目拠点の拠点開始日（１／１）が登録される。ステップS１５では、注目拠点上で「稼働終了日」がi番目の装置情報Ui（１番目のU1を除く）の「稼働開始日」に、i-1番目の装置情報Ui-1の「稼働終了日」の値がコピーされ、これが注目拠点上の全ての装置情報を対象に繰り返される。
【００４８】
ステップS１６では、全ての拠点に関して上記の各処理が完了したか否かが判定される。完了していなければステップS１２へ戻り、注目拠点を切り替えながら上記の各処理が繰り返される。
【００４９】
前記拠点毎仮時系列表生成部２０３は、前記拠点毎仮時系列表E2および装置情報Uに基づいて装置毎時系列表E3を生成する。
【００５０】
図７は、拠点毎仮時系列表E2に基づいて装置毎時系列表E3を作成する方法を模式的に表現した図であり、実線矢印は故障期間を表し、破線矢印は正常期間を表している。
【００５１】
ここで、故障期間とは、故障した装置が稼働を開始してから当該故障を検知されるまでの期間である。正常期間とは、正常に稼働中の装置が稼働を開始してから当該正常稼働が確認されるまでの期間である。
【００５２】
図８は、前記拠点毎仮時系列表生成部２０３による装置毎時系列表E3の作成手順を示したフローチャートであり、ステップS３１では、前記拠点毎仮時系列表E2に配置されている各装置情報Uが、その「稼働終了日」を横軸の値、「装置SN」を縦軸の値として特定される各位置に配置され、これが全ての装置情報Uに対して繰り返される。
【００５３】
ステップS３２では、装置IDの一つを選択して今回の注目装置とする。ステップS３３では、装置IDが今回の注目装置IDと一致する各装置情報Uに登録されている稼働開始日から稼働終了日までの期間を参照、比較し、稼働終了日が稼働開始日よりも前となる日時逆転や装置情報間での期間重複の有無といった不整合を検査する。日時逆転や期間重複が見つかると、ステップS３４において該当する装置情報Uが削除される。
【００５４】
ステップS３５では、全ての装置IDに関して上記の処理が完了したか否かが判定される。完了していなければステップS３２へ戻り、注目装置IDを切り替えながら全ての装置IDに対して上記の各処理が繰り返される。
【００５５】
装置稼働履歴推定部２０の稼働日算出部２０５は、前記装置毎時系列表E3およびその装置情報Uに基づいて、累積故障率の算定基準となる正常稼働期間および故障日数を算出する。
【００５６】
図９は、累積故障率の算出に用いられる正常稼働期間および故障日数の算出手順を示したフローチャートであり、ステップS５１では、装置毎時系列表E3に登録された装置情報Uごとに、稼働日数が"稼働日数＝稼働終了日−稼働開始"として算出されて当該装置情報Uに登録される。
【００５７】
ステップS５２では、図１０に示したケースごとに、各装置情報Uの稼働日数について「正常期間」および「故障期間」が装置ごとに算出される。
【００５８】
第１のケースは、履歴フラグが"稼働（B）"の装置情報Uが１つのみの装置の例であり、現在（稼働中）に至る稼働日数t1が正常期間とされる。
【００５９】
第２のケースは、履歴フラグが"故障(F)"の装置情報Uと2稼働（B）"の装置情報Uとを含む装置の例であり、故障に至る稼働日数t1が故障期間となり、現在（稼働中）至る稼働日数t2が正常期間となる。
【００６０】
第３のケースは、履歴フラグが"中断（D）"の装置情報Uと"稼働（B）"の装置情報Uとを含む装置の例であり、中断に至る稼働日数t1と現在（稼働中）に至る稼働日数t2との総和（t1+t2）が正常期間となる。
【００６１】
第４のケースは、稼働フラグが"故障(F)"の３つの装置情報Uを含む装置の例であり、各故障に至る稼働期間t1，t2，t3が、それぞれ故障期間となる。
【００６２】
第５の例は、履歴フラグが"故障(F)"の２つの装置情報Uと"中断（D）"の１つの装置情報Uとを含む装置の例であり、１回目の故障に至る稼働日数t1が第１故障期間となり、中断に至る稼働日数t2と２回目の故障に至る稼働日数t3との総和（t2+t3）が第２故障期間となる。
【００６３】
ステップS５３では、前記正常期間および故障期間に基づいて正常稼働期間および故障日数が算出される。本実施形態では、正常期間の日数の総和が正常稼働日数とされ、故障期間の日数の総和が故障日数とされる。
【００６４】
累積故障率算定部３０は、前記正常稼働期間の日数および故障日数を次式(1)に適用することで、図１１に示した累積故障率F(i)を算出する。ここで、累積故障率F(i)とは稼働日数i日目の終わりまでに故障が発生した割合である。
【００６５】
【数１】
0006381039.tif 000002
【００６６】
ここで、F(i-1)は前日の終わりまでに故障する故障率、(1-F(i-1))は前日の終わりまで稼働している（=故障しない）確率を表している。また、p(i)は当日故障する確率、n(i)はi日目に故障した装置の台数(稼働日数=i-1日)、N(i)はi日目(の終わり時点)で稼働している装置の台数(稼働日数≧i日)である。
【００６７】
本実施形態では、故障期間の日数がt1であれば、この装置は1〜(t1-1)日目の終わり時点までは正常に稼働し、t1日目に故障したことを意味する。正常期間がt1であれば、この装置は1〜(t1-1)日目の終わり時点までは稼働し、t1日目にも正常に稼働していることを意味する。
【００６８】
したがって、i＝０から順に、各故障期間および正常期間を１台の装置のデータとしてp(i)を求め、これを上式(1)に適用することを繰り返して累積値を求めれば、図１１に示した累積故障率F(i)が得られる。
【符号の説明】
【００６９】
１０…情報取得部，２０…装置稼働履歴推定部，３０…累積故障率算出部，１０１…装置稼働情報取得部，１０２…故障履歴取得部，１０３…中断履歴取得部，２０１…装置情報生成部，２０２…装置毎仮時系列表生成部，２０３…拠点毎仮時系列表生成部，２０４…装置毎時系列表生成部，２０５…稼働日数算出部
【図１】
0006381039.tif 000003
【図２】
0006381039.tif 000004
【図３】
0006381039.tif 000005
【図４】
0006381039.tif 000006
【図５】
0006381039.tif 000007
【図６】
0006381039.tif 000008
【図７】
0006381039.tif 000009
【図８】
0006381039.tif 000010
【図９】
0006381039.tif 000011
【図１０】
0006381039.tif 000012
【図１１】
0006381039.tif 000013